(57)【要約】【課題】この発明は、部品点数が少なく簡易な構成で、しかも、ディスクトレイの移動に伴なうノーズの回動タイミングを容易に設定することを可能とし、実用に好適するディスクトレイ駆動機構を提供することを目的としている。【解決手段】シャーシ１１に出入自在に支持されたディスクトレイ１２に、カムレバー１６が回動自在に支持される。このカムレバー１６は、そのカム孔１６ａにシャーシ１１に設けられたガイドピン１７が遊挿されることにより、ディスクトレイ１２の出入動作に連動して回動される。ディスクトレイ１２の出方向先端部には、ノーズ１３が開閉自在に支持される。このノーズ１３は、カムレバー１６に形成されたカム部１９に係合され、カムレバー１６の回動に応じて開閉動作が制御される。【選択図】　　図１
2004005798.tif 000002
【特許請求の範囲】
【請求項１】
ディスクドライブ装置に対するディスクトレイの出入と、前記ディスクトレイに設置されたノーズの開閉とを行なうディスクトレイ駆動機構において、
前記ディスクトレイに連動して回動する回動部材と、
この回動部材に連動して前記ノーズを開閉させる開閉機構とを具備してなることを特徴とするディスクトレイ駆動機構。
【請求項２】
前記回動部材は、前記ディスクトレイに回動自在に支持されるとともに、前記ディスクドライブ装置側に設けられた固定部と係合するカム部分を有し、前記ディスクトレイの移動により前記カム部分の形状に応じた回動を行なうことを特徴とする請求項１記載のディスクトレイ駆動機構。
【請求項３】
前記カム部分は前記回動部材に形成されたカム孔であり、前記固定部は前記カム孔に遊挿されるガイドピンであることを特徴とする請求項２記載のディスクトレイ駆動機構。
【請求項４】
前記回動部材を、前記カム部分が前記固定部に圧接されるように回動付勢するスプリングを備えることを特徴とする請求項２記載のディスクトレイ駆動機構。
【請求項５】
前記開閉機構は、前記回動部材に形成されたカム部に前記ノーズの一部を係合させる構成で、前記回動部材の回動により前記カム部の形状に応じて前記ノーズの開閉を行なうことを特徴とする請求項１記載のディスクトレイ駆動機構。
【請求項６】
前記ノーズは開方向に付勢されており、前記カム部は、前記ノーズを自重による開位置に規制する第１の部分と、前記ノーズをその付勢力に抗して閉位置に規制する第２の部分とを有することを特徴とする請求項５記載のディスクトレイ駆動機構。
【請求項７】
前記開閉機構は、前記ノーズに形成されたカム部に前記回動部材の一部を係合させる構成で、前記回動部材の回動により前記ノーズがそのカム部の形状に応じて開閉されることを特徴とする請求項１記載のディスクトレイ駆動機構。
【請求項８】
ディスクドライブ装置本体に対して出入自在に支持されたディスクトレイと、
このディスクトレイに回動自在に支持され、該ディスクトレイの出入動作に連動して回動されるカムレバーと、
このカムレバーに形成されたカム部に係合され、前記ディスクトレイの出方向先端部に開閉自在に支持されたノーズとを具備してなることを特徴とするディスクトレイ駆動機構。
【請求項９】
ディスクトレイの出入動作に連動して回動される回動部材を介して、前記ディスクトレイに設けられたノーズを開閉するディスクトレイ駆動機構を備えたことを特徴とするディスクドライブ装置。
【発明の詳細な説明】
【０００１】
【発明の属する技術分野】
この発明は、例えば光ディスク等に対して情報を記録または再生するディスクドライブ装置に係り、特にその装置本体に対してディスクトレイを出入させるためのディスクトレイ駆動機構の改良に関する。
【０００２】
【従来の技術】
周知のように、近年においては、例えばＣＤ（Ｃｏｍｐａｃｔ　Ｄｉｓｋ），ＣＤ−Ｒ（Ｒｅｃｏｒｄａｂｌｅ）及びＤＶＤ（Ｄｉｇｉｔａｌ　Ｖｅｒｓａｔｉｌｅ　Ｄｉｓｋ）等のような光ディスクに対して、デジタルデータを記録または再生する光ディスクドライブ装置が普及している。
【０００３】
この種の光ディスクドライブ装置にあっては、装置本体に対して水平方向に出入自在に支持されたディスクトレイが備えられている。そして、このディスクトレイを介して、装置本体に対しての、光ディスクの装着（ローディング）や取り出し（アンローディング）が行なわれる。
【０００４】
ここで、ディスクトレイを光ディスクドライブ装置本体に対して水平方向に出入させるためのディスクトレイ駆動機構としては、例えば、特開平１１−２１３５１０号公報、特開２００１−２５６７０４号公報及び特許第３１５９１６９号公報等に示されるように、様々な構造のものが既に開発されている。
【０００５】
そして、現在のディスクトレイ駆動機構では、ディスクトレイを光ディスクドライブ装置本体に対して出状態にした場合に、ディスクトレイの出方向の先端部分（ノーズ）が下方に回動して開き、ユーザが光ディスクの装着や取り出しを容易に行なえるように工夫を施したものが出現している。
【０００６】
【発明が解決しようとする課題】
しかしながら、上記のような現在のディスクトレイ駆動機構では、まだまだ部品点数が多く構成が複雑で、組立作業が困難になるという問題が生じている。また、ディスクトレイの移動に伴なうノーズの回動タイミングを容易に設定することが困難になるという不都合も有している。
【０００７】
そこで、この発明は上記事情を考慮してなされたもので、部品点数が少なく簡易な構成で、しかも、ディスクトレイの移動に伴なうノーズの回動タイミングを容易に設定することを可能とし、実用に好適する極めて良好なディスクトレイ駆動機構を提供することを目的とする。
【０００８】
【課題を解決するための手段】
この発明に係るディスクトレイ駆動機構は、ディスクドライブ装置に対するディスクトレイの出入と、ディスクトレイに設置されたノーズの開閉とを行なうものを対象としている。そして、ディスクトレイに連動して回動する回動部材と、この回動部材に連動してノーズを開閉させる開閉機構とを備えるようにしたものである。
【０００９】
上記のような構成によれば、ディスクトレイに連動して回動する回動部材によりノーズを開閉させるようにしたので、部品点数が少なくて済み簡易な構成で、しかも、ディスクトレイの移動に伴なうノーズの開閉タイミングを容易に設定することが可能となり、実用に適するものとなる。
【００１０】
【発明の実施の形態】
以下、この発明の実施の形態について、図面を参照して詳細に説明する。図１（ａ），（ｂ）及び図２（ａ），（ｂ）は、それぞれ、この実施の形態で説明するディスクトレイ駆動機構を示すもので、図１（ａ），（ｂ）がディスクトレイの入状態を示し、図２（ａ），（ｂ）がディスクトレイの出状態を示している。
【００１１】
まず、符号１１はシャーシである。このシャーシ１１は、図示しない光ディスクドライブ装置本体内に固定されている。このシャーシ１１には、ディスクトレイ１２が矢印Ａ，Ｂ方向に移動自在に支持されている。このディスクトレイ１２の表面側には、光ディスクを載置する載置部１２ａが形成されている。
【００１２】
この場合、ディスクトレイ１２は、駆動源となる図示しないローディングモータの回転力が歯車機構を介して、その裏面側に形成されたラックに伝達されることにより、矢印Ａ，Ｂ方向に選択的に駆動されるようになっている。
【００１３】
そして、このディスクトレイ１２は、矢印Ａ方向に移動されたとき、光ディスクドライブ装置本体に対して出状態となり、矢印Ｂ方向に移動されたとき、光ディスクドライブ装置本体に対して入状態となる。
【００１４】
また、このディスクトレイ１２の出方向の先端部分には、ノーズ１３が設置されている。このノーズ１３は、上記ディスクトレイ１２の出方向の先端部分において、その幅方向の両側に設置された回動軸１４により、矢印Ｃ，Ｄ方向に回動自在に支持されている。
【００１５】
そして、このノーズ１３は、矢印Ｃ方向に回動されたとき、ディスクトレイ１２の先端部分を閉塞する状態となり、矢印Ｄ方向に回動されたとき、ディスクトレイ１２の先端部分を開放する状態となる。なお、このノーズ１３は、ディスクトレイ１２が水平に設置された状態では、自重により矢印Ｄ方向に回動付勢されるようになっている。
【００１６】
ここで、ディスクトレイ１２の裏面側には、回動軸１５が突設されている。この回動軸１５には、ディスクトレイ１２の移動方向にほぼ沿って配置された、回動部材としてのカムレバー１６の中央部分が枢着されている。これにより、カムレバー１６は、矢印Ｅ，Ｆ方向に回動自在に支持される。
【００１７】
また、このカムレバー１６には、その長手方向に沿ってカム部分としての細長いカム孔１６ａが形成されている。このカム孔１６ａには、前記シャーシ１１に突設された固定部としてのガイドピン１７が遊挿されている。
【００１８】
そして、このカム孔１６ａは、ディスクトレイ１２が矢印Ａ，Ｂ方向に移動されるときに、カムレバー１６の回動を制御するように形成されている。つまり、カムレバー１６は、ディスクトレイ１２が矢印Ａ方向に移動されたとき矢印Ｆ方向に回動され、ディスクトレイ１２が矢印Ｂ方向に移動されたとき矢印Ｅ方向に回動される。ただし、このカムレバー１６の回動は、カムレバー１６がディスクトレイ１２の外形からはみ出ない範囲に規制される。
【００１９】
さらに、このカムレバー１６は、トーションスプリング１８によって、矢印Ｅ方向に回動付勢されている。このトーションスプリング１８は、一端部がディスクトレイ１２に形成された係止部１２ｂに係止され、中央部がディスクトレイ１２に形成された支持軸１２ｃに巻回され、他端部がカムレバー１６の一端部に係止されている。
【００２０】
このカムレバー１６のトーションスプリング１８による矢印Ｅ方向の回動は、カムレバー１６のカム孔１６ａがガイドピン１７に接触される位置までとなされるため、これにより、カムレバー１６のがたつきが吸収される。
【００２１】
また、上記カムレバー１６の他端部には、段差によるカム部１９が形成されている。このカム部１９には、上記ノーズ１３の中央部に設けられた制御片１３ａが、先に述べたノーズ１３の自重による矢印Ｄ方向の回動付勢力によって圧接されている。
【００２２】
ここで、上記カムレバー１６のカム部１９は、カムレバー１６が矢印Ｆ方向に回動されたとき、ノーズ１３の自重による矢印Ｄ方向の回動を許容し、図２（ｂ）に示すように、ノーズ１３をディスクトレイ１２の先端部分を開放させる位置となす第１のカム部１９ａを備えている。
【００２３】
また、上記カムレバー１６のカム部１９は、カムレバー１６が矢印Ｅ方向に回動されたとき、ノーズ１３の自重による回動付勢力に抗してノーズ１３を矢印Ｃ方向に回動させ、図１（ｂ）に示すように、ノーズ１３をディスクトレイ１２の先端部分を閉塞させる位置となす第２のカム部１９ｂを備えている。
【００２４】
すなわち、カムレバー１６のカム部１９とノーズ１３の制御片１３ａとは、カムレバー１６の回動に連動してノーズ１３を開閉させる開閉機構を構成していることになる。
【００２５】
このため、ディスクトレイ１２が矢印Ａ方向である出方向に移動された場合、カムレバー１６が矢印Ｆ方向に回動され、その第１のカム部１９ａがノーズ１３の制御片１３ａに対向する位置となり、その結果、ノーズ１３がディスクトレイ１２の先端部分を開放させる位置に制御される。
【００２６】
また、ディスクトレイ１２が矢印Ｂ方向である入方向に移動された場合、カムレバー１６が矢印Ｅ方向に回動され、その第２のカム部１９ｂがノーズ１３の制御片１３ａに対向する位置となり、その結果、ノーズ１３がディスクトレイ１２の先端部分を閉塞させる位置に制御される。
【００２７】
上記した実施の形態によれば、ディスクトレイ１２に連動して回動方向が制御されるカムレバー１６によって、ノーズ１３の位置を制御するようにしたので、部品点数が少なくて済み構成が簡易となる。また、ディスクトレイ１２をシャーシ１１に取り付ける組み立て時には、シャーシ１１のガイドピン１７をカムレバー１６のカム孔１６ａに遊挿すれば良いので、組立作業を非常に容易化することができる。
【００２８】
また、カムレバー１６のカム孔１６ａの形状を変えることにより、ディスクトレイ１２の移動に伴なうカムレバー１６の回動量や回動タイミング等を容易に制御することができるので、ひいては、ノーズ１３の回動タイミングを容易に設定することが可能となる。また、カム孔１６ａの形状とともに、カムレバー１６のカム部１９の形状を変えることによっても、ノーズ１３の回動タイミングを可変することが可能となる。
【００２９】
ここで、上記した実施の形態では、カムレバー１６に形成されたカム部１９にノーズ１３の制御片１３ａを当接させるようにしたが、逆に、ノーズ１３にカム部を形成し、カムレバー１６に制御片を形成するようにしても、同様な動作を行なうことが可能である。
【００３０】
さらに、上記した実施の形態では、カムレバー１６にカム孔１６ａを形成し、その中にガイドピン１７を遊挿させるようにしたが、カムレバー１６はトーションスプリング１８によって一方方向に回動付勢されていることから、カム孔１６ａを片側ガイドとなるようなカム形状としても良いものである。
【００３１】
なお、この発明は上記した実施の形態に限定されるものではなく、この外その要旨を逸脱しない範囲で種々変形して実施することができる。
【００３２】
【発明の効果】
以上詳述したようにこの発明によれば、部品点数が少なく簡易な構成で、しかも、ディスクトレイの移動に伴なうノーズの回動タイミングを容易に設定することを可能とし、実用に好適する極めて良好なディスクトレイ駆動機構を提供することができる。
【図面の簡単な説明】
【図１】この発明の実施の形態を示すもので、ディスクトレイ駆動機構におけるディスクトレイの入状態を説明するために示す図。
【図２】同実施の形態におけるディスクトレイの出状態を説明するために示す図。
【符号の説明】
１１…シャーシ、
１２…ディスクトレイ、
１３…ノーズ、
１４…回動軸、
１５…回動軸、
１６…カムレバー、
１７…ガイドピン、
１８…トーションスプリング、
１９…カム部。
【図１】
2004005798.tif 000003
【図２】
2004005798.tif 000004